(57)【特許請求の範囲】
【請求項１】
薄肉連結部を介して、容器の側壁と一体に成形されたカード押さえ条片部を、前記薄肉連結部を折り曲げることにより、前記側壁方向に回動させて、前記カード押さえ条片部に形成された係合凸部を、前記側壁に形成された係止片に係合保持するように構成したことを特徴とする容器用カード差し。
【請求項２】
上記カード押さえ条片部の屈曲部が、上記側壁の外壁面に当接するように構成されていることを特徴とする請求項１に記載の容器用カード差し。
【発明の詳細な説明】
【０００１】
【発明の属する技術分野】
本発明は、容器の識別、容器に収納されている物品の行き先、物品名、種類、数量等を表示するための容器の側壁に配設される容器用カード差しに関するものである。
【０００２】
【従来の技術】
従来、容器用カード差しとしては、容器本体とは別体に形成された容器用カード差しを、容器本体にネジや溶着等の適当な固着手段により取着するようにしたものや、射出成形等により、容器本体と一体に成形するようにしたものが知られている。
【０００３】
【発明が解決しようとする課題】
上述した容器本体とは別体に容器用カード差しを形成した場合には、容器本体への容器用カード差しの取り付けに時間と手間がかかるという問題があった。
【０００４】
また、容器本体とは別体に容器用カード差しを形成した場合には、容器本体の金型と容器用カード差しの金型が必要となり、従って、金型の製造コストが上昇するという問題があった。
【０００５】
更には、容器用カード差しを、容器本体と一体に成形した場合には、金型の設計上の規制等の制約により、容器用カード差しに装着されたカードが、しっかりと容器用カード差しに保持されずに、容器用カード差しから外れる等の問題があった。
【０００６】
本発明の目的は、上述した従来の容器用カード差しが有する課題を解決することにある。
【０００７】
【課題を解決するための手段】
本発明は、上述した目的を達成するために、第１には、薄肉連結部を介して、容器の側壁と一体に成形されたカード押さえ条片部を、前記薄肉連結部を折り曲げることにより、前記側壁方向に回動させて、前記カード押さえ条片部に形成された係合凸部を、前記側壁に形成された係止片に係合保持するように構成したものであり、第２には、上記カード押さえ条片部の屈曲部を、上記側壁の外壁面に当接するように構成したものである。
【０００８】
以下に、本発明の容器用カード差しを、折り畳みコンテナーに適用した例を用いて、本発明の実施例について説明するが、本発明の趣旨を越えない限り何ら、本実施例に限定されるものではない。
【０００９】
１は、平面形状が長方形状の底部であり、底部１の相対する長辺部１ａには、適当なヒンジ部を介して長側壁２が連結されており、また、底部１の相対する短辺部１ｂには、同じく適当なヒンジ部を介して短側壁３が連結されている。
【００１０】
図１に示されているように、箱型に組み立てられた状態の折り畳みコンテナーを折り畳むには、先ず最初に、短側壁３を折り畳みコンテナーの内側に倒して、図２に示されているように、底部１の上に重ねる。次いで、同じく、長側壁２を折り畳みコンテナーの内側に倒して、図３に示されているように、底部１及び短側壁３の上に重ねる。逆に、図３に示されている折り畳まれた状態から、図１に示されているように組み立てるには、底部１及び短側壁３の上に重ねられた状態の長側壁２を垂直に立て、次いで、短側壁３を垂直に立てて、折り畳みコンテナーを箱型に組み立てる。
【００１１】
なお、組み立てられた状態の折り畳みコンテナーの短側壁３が、内側に、簡単に、倒れないように、長側壁２と短側壁３の左右両端部を係合する係合部や、底部１と長側壁２及び底部１と短側壁３とをヒンジ結合させるためのヒンジ部の構成は、本願出願前、既に、周知（例えば、特開平６−１３４２号、特開平８−３１８９３９号等を参照のこと。）であるので、その詳細な説明は省略する。
【００１２】
Ｃは、容器用カード差しであり、容器用カード差しＣは、以下に詳述するカード押さえ条片部４等から形成されているカード差し部材Ｃ１を、２個以上、並設することにより構成されている。以下に、容器用カード差しＣを構成するカード差し部材Ｃ１の１つについて説明する。
【００１３】
カード差し部材Ｃ１を構成するカード押さえ条片部４は、薄肉連結部５を介して、長側壁２に形成されているヒンジ雄部２ａの下端に連結されており、その形状は、細長の帯状に形成されている。２ｂは、ヒンジ雄部２ａの水平軸であり、水平軸２ｂを、底部１に形成された、ほぼ逆Ｊ字状のヒンジ雌部の上部フックに嵌合させることにより、長側壁２は、底部１にヒンジ結合されるように構成されている。このようなヒンジ結合については、上述したように、周知であるので、詳細な説明は省略する。
【００１４】
カード差し部材Ｃ１が、長側壁２と一体に成形された時点では、カード押さえ条片部４は、長側壁２の下端から、薄肉連結部５を介して、ほぼ下方に垂直に垂下されている。薄肉連結部５付近のカード押さえ条片部４には、第１嵌合孔６が穿設されており、また、薄肉連結部５に対して第１嵌合孔６より遠い位置には、第２嵌合孔７が穿設されている。また、カード押さえ条片部４の第１嵌合孔６と第２嵌合孔７間に位置するとともに、長側壁２の外壁面（折り畳みコンテナーを図１に示されているように組み立てた際に、外側に位置する面）２ｃから離れる方向に延在する係合凸部８が形成されている。
【００１５】
２ｄは、長側壁２の下部水平枠２ｅ上に、カード押さえ条片部４の幅ｗ１より、若干、広い内幅ｗ２を有するように配設された一対の規制ブロックであり、規制ブロック２ｄの奥行きｄ１は、長側壁２の下部水平枠２ｅの奥行きｄ２とほぼ同じに形成されている。また、規制ブロック２ｄは、長側壁２の外壁面２ｃと一体の連結ブロック２ｆにより連結されている。
【００１６】
連結ブロック２ｆのほぼ中央部の上方には、長側壁２の外壁面２ｃから離れる方向に水平に延在する係止片２ｇが形成されており、係止片２ｇの下面先端には、下方に延在する係止突起２ｇ’が形成されている。係止片２ｇの下方には、係止片２ｇと同じ方向に、係止片２ｇとほぼ平行に延在する案内ブロック２ｈが形成されている。２ｉは、係止片２ｇと案内ブロック２ｈとの間に形成された透孔であり、カード差し部材Ｃ１を、長側壁２と一体に成形するための金型部材により形成されるものである。
【００１７】
上述したように、カード差し部材Ｃ１が、長側壁２と一体に成形された時点では、カード押さえ条片部４は、長側壁２の下端から、薄肉連結部５を介して、ほぼ下方に垂直に垂下されているが、この状態から、カード押さえ条片部４を、薄肉連結部５を折り曲げるように、長側壁２の外壁面２ｃ方向に回動させると、先ず最初に、カード押さえ条片部４に形成された第１嵌合孔６に、長側壁２に形成された案内ブロック２ｈが嵌合し、更に、カード押さえ条片部４の長側壁２の外壁面２ｃ方向への回動を続けると、カード押さえ条片部４に形成された係合凸部８が、長側壁２に形成された案内ブロック２ｈと係止片２ｇとの間隙に押し込まれ、該間隙に押し込まれた係合凸部８は、係止片２ｇを上方に弾性変形させて、案内ブロック２ｈと係止片２ｇとの間隙を拡げながら、該間隙に挿通される。カード押さえ条片部４に形成された係合凸部８が、長側壁２に形成された案内ブロック２ｈと係止片２ｇとの間隙を通過した後は、係止片２ｇは、係止片２ｇ自体の弾性により、下方に回動し、係止片２ｇの係止突起２ｇ’が、係合凸部８の先端角部８ａに係止され、カード押さえ条片部４が、長側壁２に形成された係止片２ｇに係合保持されるように構成されている。
【００１８】
また、カード押さえ条片部４は、第１嵌合孔６、第２嵌合孔７及び係合凸部８が形成された、薄肉連結部５側に位置する基部４ａと、基部４ａに連接されているとともに、外側に傾斜した中間部４ｂと、中間部４ｂの先端を外側に屈曲して形成されたカード案内部４ｃとから形成されており、カード押さえ条片部４に形成された係合凸部８の先端角部８ａが、長側壁２に形成された係止片２ｇの係止突起２ｇ’に係止されて、カード差し部材Ｃ１が組み立てられた時点において、カード押さえ条片部４の中間部４ｂとカード案内部４ｃとの境界線に位置する屈曲部４ｄが、長側壁２の外壁面２ｃに当接するように構成されており、且つ、屈曲部４ｄより上方に位置するカード案内部４ｃの内面４ｃ’と長側壁２の外壁面２ｃとの間には、カード案内部４ｃの内面４ｃ’と長側壁２の外壁面２ｃとの間隔が、下方に行くに従って、徐々に狭くなる、楔状空間９が形成されるように構成されている。
【００１９】
上述したようにして、２つ以上のカード差し部材Ｃ１を組み立てることにより、容器用カード差しＣが形成されることになる。このようにして形成された容器用カード差しＣに、カード１０を保持させる際には、カード１０の下辺１０ａを、上述した楔状空間９に挿入し、次いで、更に、カード１０を押し下げると、カード１０は、長側壁２の外壁面２ｃに当接されているカード押さえ条片部４の屈曲部４ｄを、長側壁２の外壁面２ｃから離反させる方向に移動させて、長側壁２の外壁面２ｃとカード押さえ条片部４の屈曲部４ｄとの間に、カード１０が挿通可能な間隙を形成し、そのまま、該間隙を通過し、カード１０の下辺１０ａが、規制ブロック２ｄや連結ブロック２ｆの上面に当接するまで、カード１０を押し下げる。このようにして、カード１０が、２つ以上のカード差し部材Ｃ１に保持されることになる。そして、２つ以上のカード差し部材Ｃ１に保持されたカード２は、カード押さえ条片部４の屈曲部４ｄにより、長側壁２の外壁面２ｃに圧接されるように構成されているので、カード２が、簡単に、移動したり、容器用カード差しＣから外れるようなことがない。
【００２０】
上述したカード差し部材Ｃ１は、長側壁２と一体に成形されるが、長側壁２が不透明な樹脂で成形された場合には、カード差し部材Ｃ１も、同様の不透明な樹脂で成形されることになり、従って、カード差し部材Ｃ１に保持されたカード１０の一部が、カード差し部材Ｃ１に隠れて見えなくなる。従って、このような問題を解決するために、カード差し部材Ｃ１を構成するカード押さえ条片部４は、細長の帯状に形成されている。
【００２１】
また、カード差し部材Ｃ１のカード押さえ条片部４を成形するための金型空間には、透明な或いは半透明な樹脂を注入し、また長側壁２を成形するための金型空間には、適宜、色付き樹脂を注入することにより、透明な或いは半透明なカード差し部材Ｃ１と、色付きの長側壁２とを、一体に成形することもできる。
【００２２】
本発明は、上述したように、カード差し部材Ｃ１を構成するカード押さえ条片部４が、薄肉連結部５を介して、長側壁２と一体に形成されているので、カード押さえ条片部４を、薄肉連結部５を折り曲げるように、長側壁２の外壁面２ｃ方向に回動させるだけで、簡単に、組み立てることができる。
【００２３】
カード差し部材Ｃ１を構成するカード押さえ条片部４が、細長の帯状に形成されているので、カード１０のカード押さえ条片部４に隠れる部分が少なく、従って、カード１０に記載或いは記憶された、物品の行き先、物品名、種類、数量等に関する情報の読み取りに、支障をきたすようなことがない。
【００２４】
２つ以上のカード差し部材Ｃ１に保持されたカード２が、カード押さえ条片部４の屈曲部４ｄにより、長側壁２の外壁面２ｃに圧接されるように構成されているので、カード２が、簡単に、移動したり、容器用カード差しＣから外れるようなことがない。
【００２５】
組み立てられたカード押さえ条片部４は、長側壁２に形成された一対の規制ブロック２ｄ間に位置するように構成されているので、カード押さえ条片部４に、外力が加わり、カード押さえ条片部４が、長側壁２の外壁面２ｃに沿った方向に移動しようとしても、規制ブロック２ｄにより、その移動が抑制されるので、従って、強度的に弱い薄肉連結部５が損傷するようなことが防止できるとともに、カード押さえ条片部４の移動により、カード差し部材Ｃ１に保持されたカード２が、外れるようなことが防止できる。
【００２６】
なお、容器用カード差しＣが、折り畳みコンテナーの長側壁２に配設された例に基づいて、本発明の容器用カード差しＣの実施例を説明したが、折り畳みコンテナーに限定されることなく、種々の容器の側壁に、本発明の容器用カード差しＣを配設することができる。
【００２７】
【発明の効果】
本発明は、以上説明したように構成されているので、以下に記載されるような効果を奏する。
【００２８】
カード押さえ条片部が、薄肉連結部を介して、容器の側壁と一体に形成されているので、カード押さえ条片部を、薄肉連結部を折り曲げるように、容器の側壁方向に回動させるだけで、簡単に、容器用カード差しを組み立てることができる。
【００２９】
容器用カード差しが、容器と一体に形成されているので、容器用カード差しの金型が不必要となり、従って、金型の製造コストや金型の保管費用の上昇を抑えることができ、ひいては、容器の製造コストを低減することができる。
【００３０】
カードが、カード押さえ条片部の屈曲部により、容器の側壁に圧接されるように構成されているので、カードが、簡単に、移動したり、容器用カード差しから外れるようなことがない。
【図面の簡単な説明】
【図１】図１は本発明の容器用カード差しが配設された折り畳みコンテナーの組み立てられた状態の斜視図である。
【図２】図２は本発明の容器用カード差しが配設された折り畳みコンテナーの組み立て途中の斜視図である。
【図３】図３は本発明の容器用カード差しが配設された折り畳みコンテナーの折り畳まれた状態の斜視図である。
【図４】図４は本発明の容器用カード差しの組み立て前の拡大斜視図である。
【図５】図５は本発明の容器用カード差しの組み立て前の部分垂直断面図である。
【図６】図６は本発明の容器用カード差しの組み立て後の部分垂直断面図である。
【図７】図７は本発明の容器用カード差しが配設された長側壁の斜視図である。
【符号の説明】
Ｃ・・・・・・・・・容器用カード差し
Ｃ１・・・・・・・・カード差し部材
２・・・・・・・・・長側壁
４・・・・・・・・・カード押さえ条片部
５・・・・・・・・・薄肉連結部
【図１】
0003583964.tif 000002
【図２】
0003583964.tif 000003
【図３】
0003583964.tif 000004
【図４】
0003583964.tif 000005
【図５】
0003583964.tif 000006
【図６】
0003583964.tif 000007
【図７】
0003583964.tif 000008